(57)【要約】【課題】ルームガーデン販売システムの活用で快適住居を提供する。【解決手段】葉物野菜、農水産物の野菜栽培で、ルームガーデンを住居内空き室、空きスペースに設け、水耕栽培で５野菜を生産育成する事を目的とする。自然環境の接触が難しくなっている現在の住宅環境改善と、自然と共に過ごす快適な住居が出来るように、室内の温度を一定に保ち、７氷蓄熱溶存酸素発生装置や、４ＬＥＤ照明でマイナスイオンを発生させ葉物野菜、農水産物の野菜生産の育成を用いる事により、室内が自然の中にいるような環境が生まれ、精神的に安定した生活が出来るようになる。又、経費負担面に於いても、年間の維持コストがほとんどかからず、経済的であるし、若者から主婦層、高齢者まで野菜の生産をする事で、農業衰退の原因、人手不足、後継者問題を解決する手段となり、これら住宅改修を計画するに辺り、居室内に水耕栽培環境を取り入れる事で、生活支援として又、地元の地域活性化に貢献する事ができる。【特許請求の範囲】
【請求項１】
水耕栽培装置を用いた新築住宅などの、住居スペース活用型ルームガーデン販売システムに於いて、居室の空き室からベランダの空きスペース等を活用した、消費者向け家庭菜園販売システムを提供する。このシステムは、一般住宅の空き室、空き家、空き店舗等使用されていない場所の有効活用対策として考案したルームガーデン販売システムである。
【請求項２】
上記の水耕栽培装置は、氷蓄熱装置で作った低温冷水が触れると発生する高濃度の溶存酸素ＤＯが水質を浄化する事で、自然環境に近い状態を作り出す事ができる。その装置から発生された氷蓄熱溶存酸素は、冷却パイプの中を通り、棚台の中に入れた水面に溶存酸素ＤＯを放出する事で、一般家庭の菜園エリアで育成された葉物野菜、農水産物など栄養価値の高い野菜を生産する環境を作る事を特徴としたルームガーデン販売システムである。
【請求項３】
上記の水耕栽培装置には、太陽光、ＬＥＤ照明を用いる事で農水産物の生育に必要な溶存酸素ＤＯ、マイナスイオンを発生させる。その室内の天井、壁、床全体面には、気密性を重要視する耐湿性、遮熱性の高い遮熱板、アルミ製遮熱シート材で施工される事で最適居室に適した高気密性を確保、室内を一定温度に保つ管理システムと、空きスペースに合わせ加工したステンレス製の棚台を設ける事で、環境空間作りを行う事を特徴とするルームガーデン販売システムである。
【請求項４】
上記の水耕栽培装置から生産された農水産物は、個人で消費もしくは、自由に出荷先等を契約販売する事で、生産する側としての楽しみ、自分自身への利益還元が出来る画期的なビジネスモデルとして提供するものである。
又、生産された葉物野菜、農水産物は直売所などの販売店によって、買い取ってもらうシステムの為、無駄な出荷物が無くなり、生産する楽しみを満喫する事が出来るルームガーデン販売システムである。
【請求項５】
若者から高齢者まで、自分の住居の空きスペースを活用したシステムにより、野菜作りの生産者に限らず、一般家庭の主婦でも野菜作りに参加する事で、農家衰退の原因である後継者不足問題など、人手不足を解決する一つの手段として取り組む事ができる。
又、家庭を預かる主婦層の食材購入の節約にもなり、経済面での手助けと自分自身への健康に貢献する野菜作りなどを生産する事で、収入と健康を守る生活設計に役立つルームガーデン販売システムである。
【発明の詳細な説明】
【技術分野】
【０００１】  本発明は、従来の野外に設けた菜園エリアを室内に設けることにより、若者から主婦、高齢者までが自然と親しみ快適な生活設計を送る事が出来る、ルームガーデン販売システムに関するものである。
【背景技術】
【０００２】  従来のルームガーデンは、屋外に設けられるもので、屋内に菜園エリアを設ける事は殆ど見当たらない。軒先にサンルームを設け観葉植物等を配置して管理している事は見受けられるが、全ては自分自身への楽しみにしか過ぎない観賞用である。【０００３】  以下、従来のルームガーデンは、自己満足の楽しみで、癒しの空間を設けているだけに過ぎず、水耕栽培装置で育成された葉物野菜、農水産物の生産販売、転売ビジネスとしての収入確保が出来ない。
【先行技術文献】
【０００４】
【特許文献１】特開平２０１４−１２１３０９号
【０００５】
【特許文献２】特開平２００４−０００１４６号
【発明の概要】
【発明が解決しようとする課題】
【０００６】  以上に述べた従来のルームガーデンは、今までに住居内にルームガーデンを設けると言う環境整備が見られない。現在、少子高齢化により一人暮らしの高齢者が増えている中、年金暮らしの生活と、外出しようとしても身体の老化を抱えながら、日々暮らして行く中で、少しでも自分の住居の空間の中に、葉物野菜、農水産物等の野菜栽培が出来れば、自然を自分の住居内に取り組んだ空間を設ける事で、都会の中に於いても、快適な生活環境と癒しの空間の中で生活できる喜びを求める声が多い。【０００７】  本発明は、このような従来の仕組み構成が有していた問題を解決しようとするものであり、一般住宅を活用した空き室、空きスペースで葉物野菜、農水産物等の栽培を生産する環境を整えれば、生活して行く中で育成して行く楽しみ、生産した葉物野菜、農水産物を販売する楽しみなど、安定した収入を確保する事で精神的にも生活して行くゆとりが生まれてくる。
【課題を解決するための手段】
【０００８】  本発明は、上記目的を達成するために、［請求項１］の一般住宅の空き室、空き家空き店舗等の使用されていない場所に住居室内全体を囲む遮熱シート、遮熱パネル遮熱板を天井、壁、床全面に貼り付ける事で、部屋全体の気密性を高める。
又、住居の空き室、空き店舗に限らず、大型倉庫から公共施設の建物の有効活用として施工する場合は、高気密性を高める為発泡ウレタン吹付塗布工事が最適である。【０００９】［請求項２］の水耕栽培装置は、氷蓄熱溶存酸素発生装置を設置する事で、従来型の水耕栽培装置と違い、高濃度の溶存酸素を発生させる事ができ、肥料を一斉使用しない溶存酸素だけの養分で葉物野菜から農水産物までの成長環境に適した装置を使用する。又、居室、ベランダ等の空きスペースに合わせて制作加工した、オールステンレス製の棚台を使用する事で、汚れ、錆等の腐蝕防止にも効果を発揮する。【００１０】［請求項２］の従来の水耕栽培装置で育成された観葉植物など、観賞用に育てる事を楽しみとしているが、従来の水耕栽培の容器はプラスチック製、ビニール製がほとんどで変色しやすく、定期的に養分等の肥料を投入しなくてはならない為、年間を通して多額のコストがかかる事になる。【００１１】［請求項２］の従来の水耕栽培装置は、趣味、又は観賞用に育てる観葉植物で、葉物野菜、農水産物を生産販売して行くと言う発想、販売仕組みが無い。【００１２】  上記［請求項３］に水耕栽培装置で生産された葉物野菜、農水産物は、太陽光ＬＥＤ照明を用いる事で農水産物の生育に必要なマイナスイオン、溶存酸素ＤＯを発生させ室温、湿度のコントロール設備を設け、部屋の気密性を重要視する環境を作る。【００１３】  上記［請求項４］に記載の一般家庭から生産された葉物野菜、農水産物は、農水産物直売所などの販売店により、買い取ってもらうシステムの為、出荷物の安定供給と、生産する楽しみを満喫する事が出来、生産農家に限らず、一般家庭から野菜作りに参加する事で、農業のイノベーションを起こし、［請求項５］の後継者不足、人手不足問題などを解決する一つの手段として取り組む事ができる。
【発明の効果】
【００１４】  本発明のルームガーデン販売システムは、今までの観賞用としたルームガーデンではなく、一般家庭の自宅空き室を有効活用し、野菜作りの設備を設ける事で、家庭を預かる主婦層の食材購入節約の手助けとなり、個人販売から、自分自身への健康に貢献する野菜作りなどを提供する事で、収入と健康を守る生活設計に役立つルームガーデン販売システムである。
【図面の簡単な説明】
【図１】居住室内のルームガーデン販売システムの概要図である。
【図２】居住スペース活用型のルームガーデン販売システムの平面図である。
【発明の実施するための最良の形態】
本発明の実施の形態を図１、図２を参照して説明する。
【実施例】
【００１５】  図１は、本発明に係る一実施例を図示する概要図である。【００１６】  図中の符号１は住居の壁面【００１７】  符号２は、高気密性ウレタン材遮熱パネル【００１８】  符号３は、遮熱アルミ製シート【００１９】  符号４は、ＬＥＤ照明ライト【００２０】  符号５は、野菜【００２１】  符号６は、給水タンク【００２２】  符号７は、氷蓄熱溶存酸素発生装置【００２３】  符号８は、作業台【００２４】  符号９は、冷暖房機【００２５】  符号１０は、ステンレス製棚台【００２６】  符号１１は、冷却パイプ【００２７】  符号１２は、排水パイプ【００２８】  符号１３は、供給モーター【００２９】  符号１４は、溶存酸素ＤＯ排出器具【００３０】  符号１５は、排出口【００３１】  符号１６は、出入口
以下、上記構成の動作を図１、図２を用いて以下説明する
本発明のルームガーデン販売システムは、一般住宅の空き室を利用した水耕栽培装置を設置する事で、その室内の天井、床面、符号１壁面全体に、符号２，高気密性ウレタン材遮熱パネルと、符号３の遮熱アルミ製シートを全体に貼り付ける事で、室内全体が気密性の高い居室内となる。又、室内に符号９の冷暖房機を取り付け、そこに符号１０のオールステンレス製で仕上げた棚台を設置すると、符号６の給水タンク、符号７の氷蓄熱溶存酸素発生装置を接続し設置、符号１１の冷却パイプと符号の１２排水パイプを取付、符号４のＬＥＤ照明器具を符号１０の棚台に取付る事で一連の設置作業が終わる。符号５の野菜栽培をするにあたって、符号１３の供給モーターから、符号１４の溶存酸素ＤＯ排出器具へ循環し、養分濃度の高い酸素が放出される事で、栄養価の高い野菜作りが出来る事になり、符号１５の排水口から符号６の給水タンクへと循環する。
【産業上の利用可能性】
【００３１】  本発明のルームガーデン販売システムにより、一般家庭の若者から主婦層、高齢者の自宅で野菜栽培ができる画期的なシステムを活用する事で、生産された葉物野菜、農水産物などは、地元の直売所、又は個人販売する事で経済的にゆとりが生まれる事になる。
現在、地球温暖化により、自然環境の変化によって野菜不足、野菜の高騰化が目立ち、消費者の購買意欲が損なわれている中、この氷蓄熱溶存酸素発生装置を設置する事で、海の幸から、山の幸までの食材を自分たちで生産する事で、農業衰退の原因、人手不足、後継者問題を解決する手段となり、全国の地域活性化に貢献する事で、利用可能性が高まる事になる。
【符号の説明】  １  住居の壁面
２  高気密性ウレタン材遮熱パネル
３  遮熱アルミ製シート
４  ＬＥＤ照明ライト
５  野菜
６  給水タンク
７  氷蓄熱溶存酸素発生装置
８  作業台
９  冷暖房機
１０  ステンレス製棚台
１１  冷却パイプ
１２  排水用パイプ
１３  供給モーター
１４  溶存酸素ＤＯ排出器具
１５  排出口
１６  出入口
【図１】
2020155081.tif 000002
【図２】
2020155081.tif 000003